(57)【要約】【課題】ディスククランパ等から発生する騒音の装置外部への伝達を抑制しながら、電子部品を冷却可能なディスク駆動装置を実現する。【解決手段】支持部材１５とトップカバー１０との間には外部空気を内部に導入する流路部材１８が配置され、その内部には中心部から外周部へと渦巻き状の流路が形成される。流路部材１８の中心部はディスク装置内部へ外部空気を導入する開口部１９が形成され、トップカバー１０には外部空気を流路部材１８に取り入れる複数の開口部２０が設けられる。光ディスク６が回転すると上面が外気に対し負圧になり外部空気が開口部２０から流路部材１８の渦巻き状流路、開口部１９を経て装置内部に取り込まれ光ピックアップ４などの電子部品を通過し冷却する。ディスククランパ１７から発生する音は流路部材１８に形成された長経路の渦巻き状流路内で減衰する。【選択図】      図２
2007172744.tif 000002
【特許請求の範囲】
【請求項１】
ディスク状のデータ記録媒体を駆動するディスク駆動装置において、
上面部に外気吸入用開口が形成され、側面部に排気用開口が形成された筐体と、
上記筐体の内部に配置され、ディスク状の記録媒体の回転中心部を支持して回転駆動するディスク回転駆動手段と、
上記筐体の上面部とディスク回転駆動手段との間に配置され、上記外気吸入用開口と連通し、上記上面部に沿って延び、上記筐体の内部側に開口が形成された減衰通路を有する発生音減衰部材と、
を備えることを特徴とするディスク駆動装置。
【請求項２】
請求項１記載のディスク駆動装置において、
上記上面部に形成された外気吸入用開口には、異物混入防止用のフィルタが取り付けられていることを特徴とするディスク駆動装置。
【請求項３】
請求項２記載のディスク駆動装置において、
上記発生音減衰部材の、上記ディスク回転駆動手段側に形成された開口には、異物混入防止用のフィルタが取り付けられていることを特徴とするディスク駆動装置。
【請求項４】
請求項３記載のディスク駆動装置において、
上記発生音減衰部材の減衰通路は、渦巻状に形成され、上記筐体内部側に形成された開口は、上記ディスク回転駆動手段の回転中心部に対応する位置に形成され、上記上面部に形成された外気吸入用開口は、上記渦巻き状減衰通路の外周流路に沿って複数形成されていることを特徴とするディスク駆動装置。
【請求項５】
請求項３記載のディスク駆動装置において、
上記発生音減衰部材は円形状であり、上記筐体内部側に形成された開口は、上記ディスク回転駆動手段の回転中心部に対応する位置に形成され、上記減衰通路は上記ディスク回転駆動手段側の開口を中心として放射状に複数個形成され、上記上面部に形成された外気吸入用開口は、上記円形状の発生音減衰部材の複数の減衰通路のそれぞれの外終端付近に形成されていることを特徴とするディスク駆動装置。
【請求項６】
請求項５記載のディスク駆動装置において、
放射状の減衰通路は、曲線状に形成されていることを特徴とするディスク駆動装置。
【請求項７】
請求項３記載のディスク駆動装置において、
上記上面部に形成された外気吸入用開口は、上記ディスク回転駆動手段の回転中心部に対応する位置に形成され、上記発生音減衰部材は、上記ディスク回転駆動手段側に位置する底面部と、この底面部の周囲に形成され上記上面部の開口を含む面を包囲する側面部とを有し、上記発生音減衰部材の、上記筐体の内部側に形成され開口は、上記側面部に形成されていることを特徴とするディスク駆動装置。
【発明の詳細な説明】
【技術分野】
【０００１】
本発明は、記憶装置及び記憶装置を搭載する電子機器に係り、特に円盤状のディスクを回転駆動させる構造を有する記憶装置に関する。
【背景技術】
【０００２】
ディスク回転駆動方式による記憶装置（ディスク装置）とは、データ記録媒体である円盤状のディスクを回転させた状態で、ディスクの盤面にデータの書き込み（記録）を行うと共に、ディスクの盤面に記録されたデータの読み取り（再生）を行うものである。
【０００３】
ディスク装置には、データを記録、再生させるための信号書き込みおよび読み取り手段として、レーザ光源およびレーザ受光部等を備えた電子部品が搭載される。
【０００４】
このディスク装置が、例えば光ディスク装置である場合には、上記電子部品は一般に光ピックアップもしくは単にピックアップと称される。
【０００５】
また、ディスク装置が、例えば磁気ディスク装置である場合には、上記電子部品は一般にヘッダと称される。
【０００６】
データ記録媒体であるディスクとしては、光ディスク装置の場合であれば、例えばＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ等が挙げられる。
【０００７】
ディスク装置は、一般に、ディスク装置へのアクセス制御および演算処理等を行う中央演算処理装置（ＣＰＵ）を備えた電子機器（例えば、パーソナルコンピュータなど）に搭載されている。従来のディスク装置の代表的な構造の一つとして、光ディスク装置の概要を示す。
【０００８】
箱型筐体の中に、光ディスク回転駆動用のスピンドルモータおよびデータ記録、再生用の光ピックアップが備わっている。箱型筐体内の下部には回路基板が位置し、光ディスク装置全体が、トップカバー、ボトムカバー、フロントパネルで囲まれて箱型筐体を構成している。
【０００９】
ここで、回路基板には多数の発熱素子が搭載されている。そして、主要な発熱素子には、高い熱伝導率を有する熱伝導部材が貼られており、発熱素子から発する熱は熱伝導部材を介してボトムカバーに伝わり、ボトムカバーから外気へと放熱される。
【００１０】
さらに、光ディスク装置の筐体内部には、光ディスクをスピンドルモータ上のターンテーブルに固定するための回転子がある。ターンテーブルは円盤状の部材であり、回転子を固定するための永久磁石が内蔵されている。装置駆動時には光ディスクはターンテーブルと回転子の間に挟まれることになり、この状態でスピンドルモータを高速回転駆動させることで光ディスクが回転する。
【００１１】
現在、このようなディスク装置は、大容量化、高速化の傾向にある。そのため装置内部の発熱密度はさらに増大していき、その結果、ピックアップなどの電子部品の温度が高温になり、装置の性能が低下してしまうという問題が顕在化してきている。
【００１２】
この問題を解決するために、特許文献１、特許文献２では、トップカバーのディスク回転駆動手段に対向する位置に開口部を設ける技術が記載されている。この技術は、ディスク回転によりディスク上面が負圧になることを利用して、開口部から外部空気をディスク装置内部に取り入れることにより装置内部を冷却させるという方法である。
【００１３】
【特許文献１】特開２００４−２４１０２４号公報
【特許文献２】特開２００３−２４９０７０号公報
【発明の開示】
【発明が解決しようとする課題】
【００１４】
しかしながら、特許文献１、特許文献２に示されているように、トップカバーのディスク回転駆動手段に対向する位置に開口部を設け、そこから外部空気をディスク装置内部に取り入れるという構造では、装置内部を冷却することはできるものの、装置駆動時にディスククランパから発生する騒音のレベルが大きくなってしまうという問題がある。
【００１５】
本発明の目的は、ディスククランパ等から発生する騒音の装置外部への伝達を抑制しながら、電子部品を冷却可能なディスク駆動装置を実現することである。
【課題を解決するための手段】
【００１６】
本発明のディスク駆動装置は、上面部に外気吸入用開口が形成され、側面部に排気用開口が形成された筐体と、この筐体の内部に配置され、ディスク状の記録媒体の回転中心部を支持して回転駆動するディスク回転駆動手段と、発生音減衰部材とを備えている。
【００１７】
そして、発生音減衰部材は、筐体の上面部とディスク回転駆動手段との間に配置され、発生音の減衰通路が形成されている。減衰通路は、上面部の外気吸入用開口と連通し、この上面部に沿って延び、筐体の内部側に開口が形成されている。
【００１８】
上記減衰通路により、ディスク回転駆動手段等から発生する音は、ディスク装置の外部に伝播する間に減衰される。
【００１９】
減衰通路の筐体の内部側に形成された開口は、ディスク回転駆動手段の回転中心部に対応する位置に形成されており、減衰通路は、渦巻き状、複数の放射線状とすることが可能である。
【００２０】
また、発生音減衰部材は、ディスク回転駆動手段側に位置する底面部と、この底面部の周囲に形成され上記上面部の開口を含む面を包囲する側面部とを有し、上記筐体の内部側に形成され開口は、上記側面部に形成される。
【発明の効果】
【００２１】
本発明によれば、ディスククランパ等から発生する騒音の装置外部への伝達を抑制しながら、電子部品を冷却可能なディスク駆動装置を実現することができる。
【００２２】
つまり、本発明のディスク装置によれば、信号書き込み、読み取り手段であるピックアップなどの電子部品を効果的に冷却することができると共に、装置駆動時の騒音レベルの低減も可能であるので、装置の大容量化、高速化を達成することができる。
【発明を実施するための最良の形態】
【００２３】
以下、本発明の実施形態を添付図面を参照して説明する。なお、以下に示す実施形態は、本発明を光ディスク装置に適用した場合の例である。
【００２４】
（第１の実施形態）
図１は、本発明の第１の実施形態が適用された光ディスク装置の概略内部構成を示した斜視図である。また、図２は、本発明の第１の実施形態を適用した光ディスク装置の概略内部構成を示した横断面図である。
【００２５】
さらに、図３は本発明の第１の実施形態を適用した光ディスク装置において、光ディスク固定用の回転子を支持する部材とトップカバーの間に形成される空間に設けられる流路とを、トップカバー側から見た場合の説明図である。
【００２６】
図１〜図３において、箱型筐体内に収納されたメカベース１の中にメカシャーシ２が搭載されている。メカシャーシ２は、円盤状の光ディスク６を回転駆動するためのスピンドルモータ３と、光ディスク６の盤面にデータを書き込み、または盤面に書き込まれたデータを読み込むための光ピックアップ４と、光ピックアップ４を２本の棒状のガイドバー５に沿って移動させるための移動手段（図示せず）とを備える。
【００２７】
光ディスク６を、光ディスク装置内部へ格納、およびディスク装置から光ディスク６を取り出すためのディスクトレー７は、メカベース１に設けられたガイド上をモータ（図示せず）により移動される。
【００２８】
メカベース１の下部には回路基板９が位置し、メカベース１全体がトップカバー１０、ボトムカバー１１、フロントパネル８で囲まれて箱型筐体を形成している。
【００２９】
回路基板９はボトムカバー１１に対して略平行、且つ、ある一定の寸法の間隔を有して固定されており、回路基板９に搭載されている主要な発熱素子１２には、高い熱伝導率を有する熱伝導部材１３が貼られており、発熱素子１２から発生する熱は熱伝導部材１３を介してボトムカバー１１に伝えられる。
【００３０】
光ディスク６をスピンドルモータ３上のターンテーブル１６に固定するための回転子１４は、光ディスク６の回転面に対して略平行に支持された板状の支持部材１５により支持されている。支持部材１５の中心箇所は開口になっており、その開口部に回転子１４が搭載され、支持部材１５の両端部はメカベース１の側壁上に固定される。
【００３１】
ターンテーブル１６は円盤状の部材であり、回転子１４を固定するための永久磁石が内蔵されている。ディスク装置駆動時には、光ディスク６はターンテーブル１６と回転子１４の間に挟まれることになり、この状態でスピンドルモータ３を高速回転駆動させることで光ディスク６が回転する。
【００３２】
このように、ターンテーブル１６と、ターンテーブル１６を回転駆動するためのスピンドルモータ３と、光ディスク６をターンテーブル１６上に磁気的に固定するための回転子１４とによりディスク回転駆動手段が構成される。
【００３３】
なお、ここでは、回転子１４、回転子１４を支持するための支持部材１５を纏めて、ディスククランパ１７と称する。
【００３４】
支持部材１５とトップカバー１０との間に形成される空間には、外部空気をディスク装置内部に導入するための流路部材（発生音減衰部材）１８が配置されている。図１に示す流路部材１８はその形状を概略的に示したものであり、この流路部材１８の内部には、図２、図３に示すように流路部材１８の中心部から外周部へと渦巻き状の流路が形成されている。
【００３５】
流路部材１８の中心部は回転子１４と対向し、この中心部には、ディスク装置内部へ外部空気を導入するための開口部１９が設けられている。そして、開口部１９には装置外部からの塵や埃などの異物がディスク装置内部へ混入するのを防止するためのフィルタ２１が取り付けられている。
【００３６】
さらに、トップカバー１０には外部空気を流路部材１８に取り入れるための複数の開口部２０が設けられている。これら複数の開口部２０は、流路部材１８の渦巻状流路の外周流路の位置に相当する箇所に配列されている。そして、開口部２０のそれぞれには外部からの塵や埃などの異物がディスク装置内部へ混入するのを防止するためのフィルタ２２が取り付けられている。
【００３７】
ここで、開口部２０の形状は円形であっても矩形であってもよい。なお、図３は流路部材１８をトップカバー１０側から見た場合の説明図であり、流路壁および流路中心部の開口部１９は実際には見えないために点線で示している。
【００３８】
メカベース１の背面部には、流路部材１８に形成された渦巻きの流路を介して取り込まれた外部空気を排出させるための開口部２３が異物混入防止のためのフィルタと共に設けられている。この排出用の開口部２３の形状は円形であっても矩形であってもよい。
【００３９】
図４は、本発明の第１の実施形態が適用された光ディスク装置において、駆動時の装置内部の空気の流れの様子を示す図である。
【００４０】
図４において、光ディスク６が回転すると、ディスク６上面が外気に対して負圧になることにより外部空気がトップカバー１０の開口部２０から流路部材１８の渦巻き状流路さらには開口部１９を経てディスク装置内部に取り込まれる。そして、取り込まれた外部空気は、信号書き込み、読み取り手段である光ピックアップ４などの電子部品を通過し、これらを効果的に冷却する。
【００４１】
さらに、外部空気がトップカバー１０の開口部２０から流路部材１８を経てディスク装置内部に取り込まれる際に、ディスククランパ１７から発生する音は、流路部材１８に形成された長経路の渦巻き状流路内で減衰するために、ディスク装置駆動時に発生する騒音のレベルを下げることができる。
【００４２】
したがって、本発明の第１の実施形態によれば、ディスク駆動時の装置内部および電子部品の温度を効果的に低減させることができると共に騒音レベルの低減も可能となるので、装置の大容量化、高速化を達成することができる。
【００４３】
（第２の実施形態）
次に、本発明の第２の実施形態について、図１および図５を参照して説明する。
【００４４】
図５は、本発明の第２の実施形態を適用した光ディスク装置において、支持部材１５とトップカバー１０との間に形成される空間に設けられる流路部材を、トップカバー１０側から見た場合の説明図である。
【００４５】
第１の実施形態における流路部材１８に形成される流路の構造は、図３に示すように、流路中心部から外周部へ渦巻状となっているが、第２の実施形態における流路部材１８に形成された流路は、流路中心部から外周部へ放射線状となっており、その流路壁の形状は直線である。
【００４６】
流路部材１８の中心部である回転子１４と対向する箇所には、ディスク装置内部へ外部空気を導入するための開口部１９が設けられている。この開口部１９には外部からの塵や埃などの異物がディスク装置内部へ混入するのを防止するためのフィルタ２１が取り付けられている。
【００４７】
さらに、トップカバー１０の流路部材１８の外周位置に相当する箇所には、外部空気を流路部材１８の流路に取り入れるための開口部２０が設けられている。そして、開口部２０には外部からの塵や埃などの異物がディスク装置内部へ混入するのを防止するためのフィルタ２２が取り付けられている。
【００４８】
ここで、開口部の形状は円形であっても矩形であってもよい。なお、図５は流路部材１８をトップカバー１０側から見た場合の説明図であり、流路壁および流路中心部の開口部１９は実際には見えないために点線で示している。
【００４９】
上述した本発明の第２の実施形態においても、第１の実施形態と同様な効果を得ることができる。
【００５０】
（第３の実施形態）
次に、本発明の第３の実施形態について、図１および図６を参照して説明する。
【００５１】
図６は、本発明の第３の実施形態を適用した光ディスク装置において、支持部材１５とトップカバー１０との間に形成される空間に設けられる流路部材を、トップカバー１０側から見た場合の説明図である。
【００５２】
第１の実施形態における流路部材１８に形成される流路の構造は、図３に示すように、流路中心部から外周部へ渦巻状となっているが、第３の実施形態における流路部材１８に形成された流路は、流路中心部から外周部へ放射線状となっており、その流路壁の形状は曲線である。
【００５３】
その他の構成は、図５に示した第２の実施形態と同様であるので、その説明は省略する。
【００５４】
上述した本発明の第３実施形態においても、第１の実施形態と同様な効果を得ることができる。
【００５５】
（第４の実施形態）
次に、本発明の第４の実施形態を、図７及び図８を参照して説明する。  
図７は本発明の第４の実施形態を適用した光ディスク装置の概略内部構成を示した斜視図である。また、図８、本発明の第４の実施形態を適用した光ディスク装置の概略内部構成および装置内の空気の流れを示した説明図である。
【００５６】
この第４の実施形態と第１の実施形態との相違点は、トップカバー１０に形成された開口の形成位置及び開口数と、第４の実施形態は、第１の実施形態における流路部材１８に換えて、導入部材（発生音減衰部材）２４が配置されていることである。
【００５７】
その他の構成は、第１の実施形態と同様であるので、その説明は省略する。
【００５８】
図７、図８において、外部空気をディスク装置内部に取り入れるための導入部材２４がトップカバー１０と支持部材１５との間に配置されている。導入部材２４が設置されている箇所に対向するトップカバー１０には、外部空気を導入部２４に取り入れるための開口部２０が、導入部材２４の中央部に対応する位置に形成されており、開口部２０には外部からの塵や埃などの異物がディスク装置内部へ混入するのを防止するためのフィルタ２２が取り付けられている。
【００５９】
また、導入部材２４の側面には１個もしくは数個の開口部２５が設けられている。なお、導入部材２４における底面中心部の回転子１４と対向する箇所には開口部は形成されていない。また、この導入部材２４には、第１〜３の実施形態のような流路は、形成されておらず、導入部材２４の上面部は開放され、カバー１０により上面部が蔽われる構成となっている。
【００６０】
光ディスク６の回転により光ディスク６の上面が、外気に対して負圧になることにより開口部２０から導入部材２４に取り入れられた外部空気は、開口部２５を通りディスク装置内部へ導入される。
【００６１】
そして、ディスク装置内部に導入された外部からの空気は、光ピックアップ４を冷却した後、開口部２３からディスク装置外部へと排出される。なお、開口部２０および開口部２５の形状は円形であっても矩形であってもよい。
【００６２】
上述した第４の実施形態において、外部空気がトップカバー１０の開口部２０、導入部材２４の内部空間から開口部２５を介して、ディスク装置内部に取り込まれる際に、ディスククランパ１７から発生する音は、上記導入部材２４の内部空間で減衰するために、ディスク装置駆動時に発生する騒音のレベルを下げることができる。
【００６３】
したがって、駆動時の装置内部および電子部品の温度を効果的に低減させることができると共に騒音レベルの低減も可能となるので、装置の大容量化、高速化を達成することができる。
【００６４】
なお、上述した本発明の第１、第２、第３および第４の実施形態では、回路基板９の位置をメカベース１の下部としたが、回路基板９はメカベース１の上部、つまりトップカバー１０側に配置していてもよい。また、トップカバー１０に設けた開口部２０の数は限定されるものではない。
【００６５】
また、本発明が適用されるディスク装置は、光ディスク装置に限定されるものではなく、磁気ディスク装置であってもよい。
【００６６】
また、流路部材１８、導入部材２４は、金属製、樹脂製等であってもよい。
【００６７】
さらに、本発明が適用されるディスク装置が搭載される電子機器としては、パーソナルコンピュータだけではなく、ハードディスクレコーダ、カーナビゲーションシステムなどの車載用コンピュータ、ゲーム用コンピュータ等であってもよい。
【図面の簡単な説明】
【００６８】
【図１】本発明の第１の実施形態が適用される光ディスク装置の概略内部構成を示した斜視図である。
【図２】本発明の第１の実施形態が適用される光ディスク装置の概略内部構成を示した横断面図である。
【図３】本発明の第１の実施形態が適用される光ディスク装置の外部空気導入用の流路構造を示した図である。
【図４】本発明の第１の実施形態が適用される光ディスク装置において、駆動時の装置内部の空気の流れの様子を示した図である。
【図５】本発明の第２の実施形態における外部空気導入用の流路構造を示した図である。
【図６】本発明の第３の実施形態における外部空気導入用の流路構造を示した図である。
【図７】本発明の第４の実施形態が適用される光ディスク装置の概略内部構成を示した斜視図である。
【図８】本発明の第４の実施形態が適用される光ディスク装置の概略内部構成および駆動時の装置内部の空気の流れを示した図である。
【符号の説明】
【００６９】
１              メカベース
２              メカシャーシ
３              スピンドルモータ
４              光ピックアップ
５              ガイドバー
６              光ディスク
７              ディスクトレー
８              フロントパネル
９              回路基板
１０            トップカバー
１１            ボトムカバー
１２            発熱素子
１３            熱伝導部材
１４            回転子
１５            支持部材
１６            ターンテーブル
１７            ディスククランパ
１８            流路部材（発生音減衰部材）
１９、２０      開口部
２１、２２      フィルタ
２３、２５      開口部
２４            導入部材（発生音減衰部材）
【図１】
2007172744.tif 000003
【図２】
2007172744.tif 000004
【図３】
2007172744.tif 000005
【図４】
2007172744.tif 000006
【図５】
2007172744.tif 000007
【図６】
2007172744.tif 000008
【図７】
2007172744.tif 000009
【図８】
2007172744.tif 000010